【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
第１の出力制御部を識別するための識別情報を送信する送信部への近接を検出する近接判定部と、
前記送信部への近接が検出された場合に、コンテンツ情報の出力先を現在の出力先から前記第１の出力制御部または第２の出力制御部に変更する制御部と、を備える、情報処理装置。
【請求項２】
前記送信部は、前記近接判定部が近接した際に、前記識別情報を送信可能である、請求項１記載の情報処理装置。
【請求項３】
前記制御部は、前記コンテンツ情報の出力先を現在の出力先である前記第１の出力制御部から前記第２の出力制御部に変更し、前記第１の出力制御部及び前記第２の出力制御部のうち、少なくとも一方の状態に基づいて、前記コンテンツ情報の出力を制御する、請求項１または２に記載の情報処理装置。
【請求項４】
前記制御部は、前記第２の出力制御部に所定の情報出力媒体が接続されているか否かを判定し、判定結果に基づいて、前記コンテンツ情報の出力を制御する、請求項３記載の情報処理装置。
【請求項５】
前記制御部は、前記第２の出力制御部に前記所定の情報出力媒体が接続されていないと判定した場合には、前記第２の出力制御部への前記コンテンツ情報の出力を停止する、請求項４記載の情報処理装置。
【請求項６】
前記コンテンツ情報は音声情報であり、
前記制御部は、前記第１の出力制御部及び前記第２の出力制御部のうち、少なくとも一方の状態に基づいて、前記コンテンツ情報の音量を調整する、請求項３〜５のいずれか１項に記載の情報処理装置。
【請求項７】
前記制御部は、前記第１の出力制御部に設定された音量及び前記第２の出力制御部に設定された音量のうち、少なくとも一方の音量に基づいて、前記コンテンツ情報の音量を調整する、請求項６記載の情報処理装置。
【請求項８】
前記送信部への近接が検出された場合に、前記第１の出力制御部との通信経路を切断し、かつ、前記第２の出力制御部との通信経路を確立する通信部を備え、
前記制御部は、前記第１の出力制御部及び前記第２の出力制御部のうち、少なくとも一方の通信状態に基づいて、前記コンテンツ情報の出力を制御する、請求項３〜７のいずれか１項に記載の情報処理装置。
【請求項９】
前記制御部は、前記送信部への近接により前記第１の出力制御部との通信経路が切断された場合に、前記コンテンツ情報の出力を継続する、請求項８記載の情報処理装置。
【請求項１０】
前記制御部は、前記第１の出力制御部に所定の情報出力媒体が接続されているか否かを判定し、前記第１の出力制御部に前記所定の情報出力媒体が接続されていないと判定し、かつ、前記第２の出力制御部との通信経路が確立されている場合には、前記コンテンツ情報の出力を継続する、請求項８または９記載の情報処理装置。
【請求項１１】
前記制御部は、前記第１の出力制御部との通信経路が切断される前に、前記コンテンツ情報のフェードアウトを開始し、前記第２の出力制御部との通信経路が確立された際に、前記コンテンツ情報のフェードインを開始する、請求項８〜１０のいずれか１項に記載の情報処理装置。
【請求項１２】
第１の出力制御部を識別するための識別情報を有する送信部への近接を検出することと、
前記送信部への近接が検出された場合に、コンテンツ情報の出力先を前記第１の出力制御部または第２の出力制御部に変更することと、を含む、情報処理方法。
【請求項１３】
コンピュータに、
第１の出力制御部を識別するための識別情報を有する送信部への近接を検出する近接判定機能と、
前記送信部への近接が検出された場合に、コンテンツ情報の出力先を前記第１の出力制御部または第２の出力制御部に変更する制御機能と、を実現させる、プログラム。
【手続補正２】
【補正対象書類名】明細書
【補正対象項目名】００１０
【補正方法】変更
【補正の内容】
【００１０】
【図１】本開示の実施形態に係る体験１を説明するための外観図である。
【図２】体験１を説明するための外観図である。
【図３】体験２を説明するための外観図である。
【図４】体験２を説明するための外観図である。
【図５】体験３を説明するための外観図である。
【図６】体験３を説明するための外観図である。
【図７】モバイル機器の構成の一例を示すブロック図である。
【図８】オーディオ機器の構成の一例を示すブロック図である。
【図９】オーディオ機器の構成の一例を示すブロック図である。
【図１０】オーディオ機器による処理の手順を示すフローチャートである。
【図１１】モバイル機器による処理の手順を示すフローチャートである。
【図１２】モバイル機器による処理の手順を示すフローチャートである。
【図１３】モバイル機器による処理の手順を示すフローチャートである。
【図１４】モバイル機器による処理の手順を示すフローチャートである。
【図１５】モバイル機器による処理の手順を示すフローチャートである。
【図１６】モバイル機器による処理の手順を示すフローチャートである。
【図１７】モバイル機器による処理の手順を示すフローチャートである。
【図１８】モバイル機器による処理の手順を示すフローチャートである。
【図１９】モバイル機器による処理の手順を示すフローチャートである。
【図２０】モバイル機器による処理の手順を示すフローチャートである。
【図２１】モバイル機器による処理の手順を示すフローチャートである。
【図２２】モバイル機器に表示される画像の一例を示す説明図である。
【図２３】モバイル機器に表示される画像の一例を示す説明図である。
【図２４】モバイル機器に表示される画像の一例を示す説明図である。
【図２５】モバイル機器に表示される画像の一例を示す説明図である。
【図２６】モバイル機器に表示される画像の一例を示す説明図である。
【図２７】モバイル機器に表示される画像の一例を示す説明図である。
【図２８】モバイル機器に表示される画像の一例を示す説明図である。
【図２９】モバイル機器に表示される画像の一例を示す説明図である。
【図３０】モバイル機器に表示される画像の一例を示す説明図である。
【図３１】モバイル機器に表示される画像の一例を示す説明図である。
【図３２】モバイル機器に表示される画像の一例を示す説明図である。
【図３３】モバイル機器に表示される画像の一例を示す説明図である。
【手続補正３】
【補正対象書類名】明細書
【補正対象項目名】００１２
【補正方法】変更
【補正の内容】
【００１２】
なお、説明は以下の順序で行うものとする。
１．各体験の概要
１−１．体験１
１−２．体験２
１−３．体験３
２．モバイル機器の構成
３．オーディオ機器の構成
４．モバイル機器及びオーディオ機器による処理の手順
４−１．体験１に関する基本処理
４−２．体験２に関する基本処理
４−３．体験３に関する基本処理
４−４．体験１におけるイヤホン抜け時の処理
４−５．体験１におけるフェードイン、フェードアウトの処理
４−６．体験２におけるフェードイン、フェードアウトの処理
４−７．体験３におけるフェードイン、フェードアウトの処理
４−８．通信経路確立時（接続時）における音量設定処理
４−９．通信経路切断時における音量設定処理
４−１０．オーディオ機器の電源オン処理に関する変形例
【手続補正４】
【補正対象書類名】明細書
【補正対象項目名】００４３
【補正方法】変更
【補正の内容】
【００４３】
なお、オーディオ機器２００は、ＣＰＵ、ＲＯＭ、ＲＡＭ、各種メモリ、スピーカ、通信装置等のハードウェア構成を有する。ＲＯＭには、オーディオ機器２００に上記の各構成を実現させるためのプログラムが記録されている。ＣＰＵは、ＲＯＭに記録されたプログラムを読みだして実行する。したがって、これらのハードウェア構成により、上記の各構成が実現される。
【手続補正５】
【補正対象書類名】明細書
【補正対象項目名】００５３
【補正方法】変更
【補正の内容】
【００５３】
また、バッテリの消耗を抑えるという観点からは、ＮＦＣリーダライタをオーディオ機器２００に内蔵させ、ＮＦＣタグ部をモバイル機器１００に内蔵させるようにしてもよい。
【手続補正６】
【補正対象書類名】明細書
【補正対象項目名】０１１３
【補正方法】変更
【補正の内容】
【０１１３】
ステップＳ２６０において、無線通信制御部１３３は、オーディオ機器２００（すなわち、抽出したアドレス情報が示すオーディオ機器）と接続中（無線通信の通信経路が確立中）であるか否かを判定する。無線通信制御部１３３は、オーディオ機器２００と接続中であると判定した場合には、ＮＦＣハンドオーバによる切断を行う旨をハンドオーバ制御部１２１及び音楽アプリ制御部１１１に通知し、ステップＳ２７０に進む。一方、無線通信制御部１３３は、オーディオ機器２００と接続されていないと判定した場合には、本処理を終了する。
【手続補正７】
【補正対象書類名】明細書
【補正対象項目名】０１４４
【補正方法】変更
【補正の内容】
【０１４４】
（４−７．体験３におけるフェードイン、フェードアウトの処理）
同様に、モバイル機器１００は、体験３において図１８に示す処理を行なってもよい。ステップＳ４３０において、モバイル機器１００は、図１３に示すステップＳ２３０〜Ｓ２６０の処理を行う。
【手続補正８】
【補正対象書類名】明細書
【補正対象項目名】０１５０
【補正方法】変更
【補正の内容】
【０１５０】
（４−８．通信経路確立時（接続時）における音量設定処理）
上述したように、体験１、２では、ユーザは、モバイル機器１００を用いて音声出力先をオーディオ機器２００またはオーディオ機器３００に変更することができる。ここで、オーディオ機器２００、３００毎にモバイル機器１００の音量（音声出力制御部１３２の音量）が予め設定されていれば、ユーザは、変更毎に音量の調整をする手間が省ける。また、音声出力先がオーディオ機器２００、３００に変更された際に、音声情報がユーザの意図しない音量でこれらのオーディオ機器から出力される可能性が低減される。そこで、モバイル機器１００は、体験１、２の処理を行う際に、図１９に示す処理を行なってもよい。
【手続補正９】
【補正対象書類名】明細書
【補正対象項目名】０１５４
【補正方法】変更
【補正の内容】
【０１５４】
（４−９．通信経路切断時における音量設定処理）
上述したように、体験３では、ユーザは、モバイル機器１００を用いて音声出力先をオーディオ機器２００またはオーディオ機器３００からモバイル機器１００に戻すことができる。ここで、音声出力先がモバイル機器１００に戻った際に、モバイル機器１００の音量が自動的に当初の値（音声出力先がオーディオ機器２００等に移行する前の値）に戻れば、ユーザは、変更毎に音量の調整をする手間が省ける。そこで、モバイル機器１００は、体験３の処理を行う際に、図２０に示す処理を行なってもよい。
【手続補正１０】
【補正対象書類名】明細書
【補正対象項目名】０１５８
【補正方法】変更
【補正の内容】
【０１５８】
（４−１０．オーディオ機器の電源オン処理に関する変形例）
次に、オーディオ機器２００、３００の電源オン処理に関する変形例について図２１に示すフローチャートにそって説明する。なお、以下の説明では、オーディオ機器２００が行う処理について説明するが、オーディオ機器３００も同様の処理が可能である。
【手続補正１１】
【補正対象書類名】明細書
【補正対象項目名】０１６０
【補正方法】変更
【補正の内容】
【０１６０】
以上により、本実施形態では、モバイル機器１００は、ＮＦＣタグ部２２０、３２０への近接が検出された場合に、音声出力先を現在の出力先から音声出力制御部１３２、２８０、３８０のいずれかに変更する。これにより、ユーザは、音声情報の出力先をより容易に変更することができる。
【手続補正１２】
【補正対象書類名】明細書
【補正対象項目名】０１６８
【補正方法】変更
【補正の内容】
【０１６８】
具体的には、モバイル機器１００は、ＮＦＣタグ部２２０、３２０への近接により現在の出力先との通信経路が切断された場合に、音声情報の出力を継続するので、ユーザは、音声情報を継続して楽しむことができる。
【手続補正１３】
【補正対象書類名】明細書
【補正対象項目名】０１７６
【補正方法】変更
【補正の内容】
【０１７６】
また、ＮＦＣタグ部２２０、３２０は、オーディオ機器２００、３００に内蔵されていなくてもよい。また、オーディオ機器２００、３００はＮＦＣタグ部２２０、３２０の代わりにオーディオ機器２００の無線通信用のアドレスを何らかの形態（例えばＱＲコード（登録商標）等）で表示する表示部を備えてもよい。この場合、モバイル機器１００は、表示部に表示されたアドレスを読み取り可能なもの（例えば撮像部）を有する。
【手続補正１４】
【補正対象書類名】明細書
【補正対象項目名】０１７８
【補正方法】変更
【補正の内容】
【０１７８】
１００      モバイル機器
１１０ａ    制御部
１１０      音楽アプリ部
１１１      音楽アプリ制御部
１２０      ハンドオーバアプリ部
１２１      ハンドオーバ制御部
１２２      音声出力先表示・変更ＵＩ部
１３１      イヤホン挿抜状態監視部
１３２      音声出力制御部
１３３      無線通信制御部
１３４      ＮＦＣ制御部
１３５      表示制御部
１５０      スピーカ
１６０      無線通信部
１７０      ＮＦＣリーダライタ
１８０      バイブレーション装置
１９０      表示部
２００      オーディオ機器
２２０      ＮＦＣタグ部
２８０      音声出力制御部
３００      オーディオ機器
３２０      ＮＦＣタグ部
３８０      音声出力制御部
４００      イヤホン